(57)【要約】【課題】  駆動電圧範囲を増加させ且つ消費電力を減少できるソースドライバを提供する。【解決手段】  少なくとも１つのデータラインを駆動するために使用されるＬＣＤ装置用のソースドライバは所定の電圧を受信する入力部と、データラインに電気的に接続され、且つ出力電圧を有する出力部と、出力電圧を所定電圧範囲にクランプするための電圧クランプ回路と、クランプされた出力電圧を所定の電圧に増加させるための第１差動増幅器と、クランプされた出力電圧を所定の電圧に減少させるための第２差動増幅器を具備する。本発明はＬＣＤ装置用のソース駆動方法も提供している。【選択図】  図１
2006209048.tif 000002
【特許請求の範囲】
【請求項１】
所定の電圧レベルを受信するための少なくとも１つの入力部と；
データラインに電気的に接続され、第１電圧レベルを有する少なくとも１つの駆動出力部と；
前記第１電圧レベルを第２電圧レベルと前記第２電圧レベルより大きい第３電圧レベルと間の範囲にクランプするための電圧クランプ回路と；
２つの第１入力部と第１出力部を有し、前記２つの第１入力部はそれぞれ前記駆動入力部からの所定の電圧レベルと前記駆動出力部からのクランプされた第１電圧レベルを受信するために使用される第１差動増幅器であり、前記第１出力部を介して前記駆動出力部に電気的に接続され、前記駆動出力部の前記クランプされた第１電圧レベルを前記所定の電圧レベルに増加させ、前記所定の電圧レベルが前記クランプされた第１電圧レベルより大きい第１差動増幅器と；
２つの第２入力部と第２出力部を有し、前記２つの第２入力部はそれぞれ前記駆動入力部からの所定の電圧レベルと前記駆動出力部からのクランプされた第１電圧レベルを受信するために使用される第２差動増幅器であり、前記第２出力部を介して前記駆動出力部に電気的に接続され、前記駆動出力部の前記クランプされた第１電圧レベルを前記所定の電圧レベルに増加させ、前記所定の電圧レベルが前記クランプされた第１電圧レベルより大きい第２差動増幅器と；
を具備することを特徴とする少なくとも１つのデータラインを駆動するために使用されるＬＣＤ装置用のソースドライバ。
【請求項２】
前記第１差動増幅器は高供給電圧に接続され、前記高供給電圧の電圧レベルは前記第２電圧レベルおよび前記第３電圧レベルより大きいことを特徴とする請求項１記載のＬＣＤ装置用のソースドライバ。
【請求項３】
前記駆動入力部、前記駆動出力部、および前記データラインはそれぞれ複数であり、各駆動出力部はそれぞれ各データラインに電気的に接続されることを特徴とする請求項１記載のＬＣＤ装置用のソースドライバ。
【請求項４】
前記第１および第２差動増幅器が各駆動入力部から前記所定の電圧レベルを交互に受信するように、２つの第１入力部の１つと２つの第２入力部の１つに対する各駆動入力部により受信された各所定の電圧レベルを交互に且つ電気的にスイッチングするための第１スイッチング回路を更に具備することを特徴とする請求項３記載のＬＣＤ装置用のソースドライバ。
【請求項５】
前記第１出力部および前記第２出力部が各駆動出力部に交互に且つ電気的に接続されるように、各駆動出力部に対して前記第１および第２差動増幅器の前記第１出力部および前記第２出力部を交互に且つ電気的にスイッチングするための第２スイッチング回路を更に具備することを特徴とする請求項３記載のＬＣＤ装置用のソースドライバ。
【請求項６】
前記電圧クランプ回路を前記駆動出力部に電気的に接続し、前記第２電圧レベルと前記第３電圧レベル間の範囲内の前記第１電圧レベルをクランプするための第３スイッチング回路を更に具備することを特徴とする請求項１記載のＬＣＤ装置用のソースドライバ。
【請求項７】
前記駆動出力部の前記第１電圧レベルが前記駆動入力部により受信された前記所定の電圧レベルに実質的に等しいように、前記少なくとも１つの駆動入力部を前記少なくとも１つの駆動回路に電気的に接続するための第４スイッチング回路を更に具備することを特徴とする請求項１記載のＬＣＤ装置用のソースドライバ。
【請求項８】
ソースドライバに適用され、第１電圧レベルを有するデータラインを駆動し、前記ソースドライバが前記第１電圧レベルを増加させるための第１差動増幅器と前記第１電圧レベルを減少させるための第２差動増幅器を有する、ＬＣＤ装置用のソース駆動方法において、  
第２電圧レベルと前記第２電圧レベルより大きい第３電圧レベル間の範囲に前記第１電圧レベルをクランプする工程と；
前記第１差動増幅器と前記第２差動増幅器の一方を介して前記第１電圧レベルと所定電圧レベルを受信し、前記データラインの前記第１電圧レベルを前記所定の電圧レベルに引っ張る工程と；
を具備することを特徴とするＬＣＤ装置用のソース駆動方法。
【請求項９】
前記第１差動増幅器は高供給電圧に接続され、前記高供給電圧の電圧レベルは前記第２電圧レベルと前記第３電圧レベルより大きいことを特徴とする請求項８記載のＬＣＤ装置用のソース駆動方法。
【請求項１０】
前記データラインの前記第１電圧レベルを前記所定の電圧レベルに向けて引っ張る工程が、
もし前記第１電圧レベルが前記所定の電圧レベルより小さいと、前記第１電圧レベルを前記第１差動増幅器を介して前記所定の電圧レベルに増加させる工程と；
もし前記第１電圧レベルが前記所定の電圧レベルより大きいと、前記第１電圧レベルを前記第２差動増幅器を介して前記所定の電圧レベルに減少させる工程と；
を更に具備することを特徴とする請求項８記載のＬＣＤ装置用のソース駆動方法。
【請求項１１】
前記データラインの前記第１電圧レベルが前記所定の電圧レベルに実質的に等しいように、前記データラインを介して前記所定の電圧レベルを受信する工程；
を更に具備することを特徴とする請求項８記載のＬＣＤ装置用のソース駆動方法。
【請求項１２】
ソースドライバに適用され、各々が第１電圧レベルを有する複数のデータラインを駆動し、前記ソースドライバが前記第１電圧レベルを増加させるための第１差動増幅器と前記第１電圧レベルを減少させるための第２差動増幅器を有する、ソース駆動方法において、
第２電圧レベルと前記第２電圧レベルより大きい第３電圧レベル間の範囲に各データラインの前記第１電圧レベルをクランプする工程と；
所定期間内に、前記第１差動増幅器と前記第２差動増幅器を介して前記データラインの前記第１電圧レベルと複数の所定の電圧レベルを交互に受信し、各データラインの前記第１電圧レベルを各所定の電圧レベルに引っ張る工程と；
を具備することを特徴とするソース駆動方法。
【請求項１３】
前記第１差動増幅器が高供給電圧に接続され、前記高供給電圧の前記電圧レベルが前記第２電圧レベルと前記第３電圧レベルより大きいことを特徴とする請求項１２記載のソース駆動方法。
【請求項１４】
前記所定期間が走査ライン期間であることを特徴とする請求項１２記載のソース駆動方法。
【請求項１５】
各データラインの前記第１電圧レベルを各所定の電圧レベルに引っ張る工程が、
もし前記第１電圧レベルが前記所定の電圧レベルより小さいと、前記第１差動増幅器を介して前記第１電圧レベルを前記所定の電圧レベルに増幅させる工程と；
もし前記第１電圧レベルが前記所定の電圧レベルより大きいと、前記第２差動増幅器を介して前記第１電圧レベルを前記所定の電圧レベルに減少させる工程と；
を更に具備することを特徴とする請求項１２記載のソース駆動方法。
【請求項１６】
各データラインの前記第１電圧レベルが各所定の電圧レベルに実質的に等しいように、各データラインを介して各所定の電圧レベルを受信する工程；
を更に具備することを特徴とする請求項１２記載のソース駆動方法。
【請求項１７】
第１入力信号を受信するための入力部と、前記第１入力信号に従って第１出力信号を発生させるための出力部を有する第１差動回路と；
前記第１差動回路の出力部に接続された入力部を有し、出力された信号を第１電圧レベルと第２電圧レベル間の範囲内にクランプするための第１電圧クランプ回路と；
を具備することを特徴とする駆動装置。
【請求項１８】
前記第１差動増幅器が高供給電圧に接続され、前記高供給電圧の電圧レベルが前記第１電圧レベルと前記第２電圧レベルより大きいことを特徴とする請求項１７記載の駆動装置。
【請求項１９】
前記第１差動回路に接続された第１スイッチング回路と；
前記第１スイッチング回路に接続された第２差動回路と；
を更に具備し、前記第１スイッチング回路が前記第１入力信号を前記第１差動回路と前記第２差動回路に選択的に且つ電気的に接続するために使用されることを特徴とする請求項１７記載の駆動装置。
【請求項２０】
前記第１差動回路と前記第２差動回路に接続された第２スイッチング回路を更に具備し、前記第１スイッチング回路が前記第１入力信号を前記第１差動回路に電気的に接続し、前記第２スイッチング回路が第２入力信号を前記第２差動回路に電気的に接続することを特徴とする請求項１９記載の駆動装置。
【請求項２１】
前記第１差動回路に接続された第１スイッチング回路と；
前記第１スイッチング回路に接続され且つ出力部を有する第２差動回路と；
を更に具備し、前記第１スイッチング回路が前記第１および第２差動回路の出力部の１つを前記第１電圧クランプ回路の入力部に選択的に且つ電気的に接続するために使用されることを特徴とする請求項１７記載の駆動装置。
【請求項２２】
入力部を有する第２電圧クランプ回路と；
前記第２差動回路と前記第２電圧クランプ回路に接続された第２スイッチング回路と；
を更に具備し、前記第１スイッチング回路が前記第１差動回路の出力部を前記第１電圧クランプ回路の入力部に電気的に接続し、前記第２スイッチング回路が前記第２差動回路の出力部を前記第２電圧クランプ回路の出力部に電気的に接続することを特徴とする請求項２１記載の駆動装置。
【請求項２３】
前記第１電圧クランプ回路が前記第１電圧クランプ回路を選択的に動作可能にする第１スイッチング回路を具備することを特徴とする請求項１７記載の駆動装置。
【請求項２４】
入力部と、出力部と、前記駆動装置の入力部を前記駆動装置の出力部に選択的に接続するための第１スイッチング回路を更に具備することを特徴とする請求項１７記載の駆動装置。
【請求項２５】
前記第１差動回路に接続された第１スイッチング回路を更に具備し、前記第１スイッチング回路が前記第１差動回路を選択的に動作可能にするために使用されることを特徴とする請求項１７記載の駆動装置。
【請求項２６】
第２スイッチング回路と；
前記第２スイッチング回路に接続された第２差動回路と；
を更に具備し、前記第１スイッチング回路が前記第１差動回路を動作可能にし、前記第２スイッチング回路が前記第２差動回路を動作不能にすることを特徴とする請求項２５記載の駆動装置。
【請求項２７】
ＬＣＤ装置に適用されることを特徴とする請求項１７記載の駆動装置。
【請求項２８】
前記第１差動回路に接続された電圧発生回路を更に具備し、前記電圧発生回路が複数レベル電圧を発生するために使用されることを特徴とする請求項１７記載の駆動装置。
【請求項２９】
第１出力電圧レベルを第１電圧レベルと第２電圧レベル間の範囲内にクランプする工程と；
前記第１出力電圧レベルと前記第２入力電圧レベルに従って第２出力電圧レベルを発生し、前記第１出力電圧レベルを前記第２出力電圧レベルに置換する工程；
を具備することを特徴とする駆動方法。
【請求項３０】
前記第１出力電圧レベルを非クランプにする工程を更に具備することを特徴とする請求項２９記載の駆動方法。
【請求項３１】
前記第２出力電圧レベルを前記第２入力電圧レベルに増加させる工程を更に具備することを特徴とする請求項２９記載の駆動方法。
【請求項３２】
前記第２出力電圧レベルを前記第２入力電圧レベルに減少させるための工程を更に具備することを特徴とする請求項２９記載の駆動方法。
【請求項３３】
前記第２出力電圧レベルによりＬＣＤ装置を駆動するための工程を更に具備することを特徴とする請求項２９記載の駆動方法。
【請求項３４】
レベル電圧を前記第２入力電圧レベルとして発生させるための工程を更に具備することを特徴とする請求項２９記載の駆動方法。
【発明の詳細な説明】
【技術分野】
【０００１】
本発明は全般的にソースドライバに関し、特に、ＬＣＤのためのソースドライバおよびソース駆動方法に関する。
【背景技術】
【０００２】
図１はアクティブマトリクスＬＣＤ（液晶表示）装置用１００のための従来の駆動回路である。ＬＣＤ装置１００は上部に配置されたＴＦＴ（薄膜トランジスタ）アレイ１１２を有するＬＣＤパネル１１０と、ゲート駆動回路１２０と、ソース駆動回路１３０を有する。ＴＦＴアレイ１１２は複数の薄膜トランジスタ１１３により形成される。各トランジスタ１１３は対応する走査ライン１１４に接続されたゲート１１３ａ、対応するデータライン１１６に接続されたソース１１３ｂ、および対応する表示コンデンサ１１８の一方の端子に接続されたドレイン１１３ｃを有する。表示コンデンサ１１８の他方の端子は共通電圧ＶＣＯＭに接続される。ゲート駆動回路１２０はスイッチング信号（例えば、走査信号）を走査ライン１１４に供給するために使用され、ソース駆動回路１３０はレベル電圧をデータライン１１６に供給するために使用される。
【０００３】
図２はアクティブマトリクスＬＣＤ装置１１０用の典型的なソース駆動回路１３０の概略図である。ソース駆動回路１３０は分圧器２００、複数のデコーダ２０２、および複数のドライバ２０４を設けている。分圧器２００は抵抗器Ｒ１ないしＲｎからなり、複数レベルの電圧を発生するために使用される。分圧器２００から発生するレベル電圧はデコーダ２０２内のスイッチ２０２ａを切り替えることにより選択され、ドライバ２０４の入力部２０４ａに出力される。各ドライバ２０４はそれぞれ（図１に示される）ＬＣＤパネル１１０の各データライン１１６に対応し、出力部２０４ｂを介して各データライン１１６に接続され駆動する。
【０００４】
図３は米国特許第６，５６７，３２７号に開示されたドライバ２０４の概略回路である。ドライバ２０４はプルハイ差動増幅器２１０とプルロー差動増幅器２１２を具備している。ドライバ２０４はレベル電圧Ｖｉｎを受信するための入力部２０４ａと、出力部２０４ｂを有する。ドライバ２０４の出力電圧Ｖｏｕｔは差動増幅器２１０、２１２の入力部Ｖｉｎ−（例えば、反転入力部）に帰還（負帰還）され、レベル電圧Ｖｉｎは本ドライバの入力部Ｖｉｎ＋（非反転入力）に入力される。
【０００５】
プルハイ差動増幅器２１０が動作すると、出力電圧Ｖｏｕｔは入力部Ｖｉｎ＋の電圧より小さく、それにより出力電圧Ｖｏｕｔを入力部Ｖｉｎ＋の電圧に向けて増加させる。さらに、プルロー差動増幅器２１２が動作すると、出力電圧Ｖｏｕｔは入力部Ｖｉｎ＋の電圧より大きく、それにより出力電圧Ｖｏｕｔを入力部Ｖｉｎ＋の電圧に向けて減少させる。
【０００６】
ドライバ２０４の動作は以下に説明される。出力電圧Ｖｏｕｔが安定し、その間、入力部Ｖｉｎ＋の電圧は入力部Ｖｉｎ−の電圧に等しい。入力部Ｖｉｎ＋の電圧は変更され、入力部Ｖｉｎ−の電圧より大きい場合、即ち、レベル電圧Ｖｉｎが出力電圧Ｖｏｕｔより大きい場合、トランジスタ２２０が出力電圧Ｖ０１によりターンオンするように、スイッチＳ１、Ｓ２、およびＳ３のみがターンオンする。出力電圧Ｖｏｕｔは入力部Ｖｉｎ＋の電圧に向けて増加を開始し、最終的に、スイッチＳ０のみがターンオンし、入力部２０４ａが出力部２０４ｂに短絡し、出力電圧Ｖｏｕｔの電圧レベルをレベル電圧Ｖｉｎの電圧レベルにより正確に引きつける。更に、入力部Ｖｉｎ＋の電圧が変化し、入力部Ｖｉｎ−のそれより小さい場合、即ち、レベル電圧Ｖｉｎが出力部Ｖｏｕｔより小さい場合、スイッチＳ４、Ｓ５、およびＳ６のみがターンオンし、トランジスタ２２２が出力電圧Ｖ０２によりターンオンする。それにより、出力電圧Ｖｏｕｔは入力部Ｖｉｎ＋の電圧に向かって減少を開始し、最終的に、スイッチＳ０のみがターンオンし、入力部２０４ａが出力部２０４ｂに短絡し、それにより出力電圧Ｖｏｕｔの電圧レベルをレベル電圧Ｖｉｎの電圧レベルにより正確に引っ張る。
【発明の開示】
【発明が解決しようとする課題】
【０００７】
しかしながら、出力電圧Ｖｏｕｔの電圧レベルが高供給電圧ＶＤＤの電圧レベルに近似し、レベル電圧Ｖｉｎの電圧レベルより小さい場合、プルハイ差動増幅器２１０が出力電圧Ｖｏｕｔを引き上げることが困難である。さらに、出力電圧Ｖｏｕｔの電圧レベルが低供給電圧ＶＳＳの電圧レベルに近似し、レベル電圧Ｖｉｎの電圧レベルより大きい場合、プルロー差動増幅器２１２が出力電圧Ｖｏｕｔを引き下げることが困難である。従って、ドライバ２０４の出力電圧Ｖｏｕｔは制限され、ＶＳＳとＣＤＤ間の全電圧範囲をカバーすることができない。
【０００８】
従って、本発明は従来技術に存在する上記問題を解決するように広域駆動電圧範囲を有するＬＣＤ用のソースドライバを提供するものである。
【０００９】
したがって、本発明の目的は駆動電圧範囲を増加し且つ消費電力を減少できるＬＣＤ用のソースドライバを提供することである。
【００１０】
本発明の他の目的はソース駆動回路の回路サイズおよび製造コストを減少できるＬＣＤ用のソースドライバを提供することにある。
【課題を解決するための手段】
【００１１】
上記目的を達成するために、少なくとも１つのデータラインを駆動するために使用されるＬＣＤ装置用のソースドライバは所定電圧を受信するための入力部と、データラインに電気的に接続され且つ出力電圧を有する出力部と、出力電圧を所定の電圧範囲内にクランプするための電圧クランプ回路と、クランプされた出力電圧を所定電圧の方向に増加させるための第１差動増幅器と、クランプされた出力電圧を所定電圧の方向に減少させるための第２差動増幅器を備えている。
【００１２】
本発明のソースドライバは、複数のデータラインの複数の出力電圧が複数の所定電圧に従って第１および第２差動増幅器を介してそれぞれ駆動されるように、複数の所定電圧を交互に切り替え、且つ走査ライン期間中に複数のデータラインの複数の出力電圧を第１および第２差動増幅器に交互に切り替えるために使用される第１スイッチング回路と第２スイッチング回路を更に備えている。より具体的には、複数のデータラインが第１および第２差動増幅器を共用するので、ソースドライバ回路の回路サイズおよび製造コストを削減できる。
【００１３】
本発明はまた各々が出力電圧を有する複数のデータラインを駆動するための、ソースドライバに適用されるソース駆動方法を提供するものである。このソースドライバは出力電圧を増大させるための第１差動増幅器と、出力電圧を減少させるための第２差動増幅器を有する。このソース駆動方法は、出力電圧が第１電圧より大きく、第２電圧より小さいように、各データラインの出力電圧を第１電圧と第２電圧間の電圧範囲内にクランプする工程と；所定期間に、第１および第２差動増幅器を介してデータラインの出力電圧および複数の所定電圧を交互に受信する工程を含み、それにより、第１および第２差動増幅器を介して、各データラインの出力電圧を各所定電圧方向に引っ張る。本発明のソース駆動方法は各データラインの出力電圧が各所定電圧にほぼ等しいように、各データラインを介して各所定電圧を受信する工程をさらに含んでいる。
【発明の効果】
【００１４】
本発明のソース駆動方法によれば、２つの差動増幅器が複数のデータラインを駆動できる。従って、データラインを駆動するために使用される差動増幅器の数が削減でき、それにより、ソース駆動回路の回路サイズおよび製造コストが低減できる。
【発明を実施するための最良の形態】
【００１５】
図４は本発明の１実施例に従ったＬＣＤ用のソースドライバ３００の回路図である。このソースドライバば３００はそれぞれ分圧器（例えば、図２に示される分圧器２００）からのレベル電圧Ｖｉｎ１およびＶｉｎ２を受信するための２つの入力部３００ａおよび３００ｂと、それぞれＬＣＤパネル上に形成された（例えば、図１に示されるデータライン２００）２つのデータラインに電気的に接続された２つの出力部３００ｃおよび３００ｄを有し、出力部３００ｃと３００ｄはそれぞれ出力電圧Ｖｏｕｔ１およびＶｏｕｔ２を有する。ソースドライバ３００はプルハイ差動増幅器３０２、プルロー差動増幅器３０４、電圧クランプ回路３０６、第１スイッチング回路３０８、第２スイッチング回路３１０、および第３スイッチング回路３１２を有する。第１スイッチング回路３０８はスイッチＳ１、Ｓ２、Ｓ３およびＳ４を有し、第２スイッチング回路３１０はスイッチＳ５、Ｓ６、Ｓ７、およびＳ８を有し、第３スイッチング回路３１２はスイッチＳ９およびＳ１０を有する。
【００１６】
ソースドライバ３００は走査ライン期間中２つのデータラインを駆動するため、即ち、走査ライン期間中、出力部３００ｃおよび３００ｄの出力電圧Ｖｏｕｔ１およびＶｏｕｔ２の電圧レベルを入力部３００ａおよび３００ｂのレベル電圧Ｖｉｎ１、Ｖｉｎ２の電圧レベルに引っ張るために使用される。ここで、用語「走査ライン期間」は１つの走査ラインがＬＣＤパネル上の１列のトランジスタをターンオンするため選択され即ち活性化される期間を意味している。
【００１７】
ソースドライバ３００において、プルハイ差動増幅器３０２は非反転入力部３０２ａ、反転入力部３０２ｂ、および出力部３０２ｃを有する。出力部３０２ｃは反転入力部３０２ｂ（負帰還構成）に接続される。プルロー差動増幅器３０４は非反転入力部３０４ａ、反転入力部３０４ｂおよび出力部３０４ｃを有する。出力部３０４ｃは反転入力部３０４ｂ（負帰還構成）に接続される。
【００１８】
電圧クランプ回路３０６は出力部３００ｃ、３００ｄの出力電圧Ｖｏｕｔ１、Ｖｏｕｔ２を第１電圧ＶＡと第２電圧ＶＢ間の電圧範囲内にクランプするために使用される。
【００１９】
第１スイッチング回路３０８のスイッチＳ１、Ｓ２、Ｓ３およびＳ４は入力部３００ａ、３００ｂのレベル電圧Ｖｉｎ１、Ｖｉｎ２を差動増幅器３０２、３０４の非反転入力部３０２ａおよび３０４ｂに交互に且つ電気的に接続するために使用される。第２スイッチング回路３１０のスイッチＳ５、Ｓ６、Ｓ７およびＳ８は差動増幅器３０２、３０４の出力部３０２ｃ、３０４ｃを出力部３００ｃ、３００ｄに交互に且つ電気的に接続するために使用される。出力電圧Ｖｏｕｔ１、Ｖｏｕｔ２がそれぞれ且つ実質的にレベル電圧Ｖｉｎ１、Ｖｉｎ２に等しいように、第３スイッチング回路３１２のスイッチＳ９およびＳ１０は入力部３００ｃおよび３００ｄを出力部３００ｃ、３００ｄにそれぞれ且つ電気的に接続するために使用される。
【００２０】
図５は本発明の一実施例に従った図４に示されるＬＣＤ用のソースドライバ３００の詳細図である。
【００２１】
図５において、ソースドライバ３００はプルハイ差動増幅器３０２、プルロー差動増幅器３０４、電圧クランプ回路３０６、およびいくつかのスイッチとしてのトランジスタ機能を含んでいる。
【００２２】
プルハイ差動増幅器３０２はＮＭＯＳ（Ｎ型金属酸化膜半導体）トランジスタＮＨ３およびＮＨ４の差動対、ＰＭＯＳ（Ｐ型金属酸化膜半導体）ＰＨ１およびＰＨ２からなる電流ミラー、および定電流減ＣＲ１を有する。プルハイ差動増幅器３０２は出力段として機能するＰＭＯＳトランジスタＰＨ３のゲートに接続された出力部を有する。ＮＭＯＳトランジスタＮＨ３およびＮＨ４の差動対はＰＭＯＳトランジスタＰＨ１およびＰＨ２からなる回路ミラーに電気的に接続されている。特に、トランジスタＰＨ１はトランジスタＮＨ３のドレインに電気的に接続されたドレイン、高供給電圧ＶＤＤに電気的に接続されたソース、およびトランジスタＰＨ２のゲートに電気的に接続されたゲートを有する。トランジスタＰＨ２はトランジスタＮＨ４のドレインに電気的に接続されたドレイン、高供給電圧ＶＤＤに電気的に接続されたソース、および自身のドレインに電気的に接続されたゲートを有する。
【００２３】
トランジスタＮＨ３のゲートはスイッチＳ１およびＳ４を介してそれぞれ入力部３００ａおよび３００ｂに接続される。トランジスタＮＨ４はトランジスタＰＨ３のドレインに接続されたゲートを有する。トランジスタＮＨ３、ＮＨ４のソースは定電流源ＣＲ１の一方の端部に共通に接続され、定電流源ＣＲ１の他方の端部は低供給電圧ＶＳＳに接続される。
【００２４】
トランジスタＰＨ３は充電手段として機能し、高供給電圧ＶＤＤに電気的に接続されたソース、トランジスタＰＨ１のドレインに電気的に接続されたゲート、およびＰＭＯＳトランジスタＰＨ４およびＰＨ５のソースに電気的に接続されたドレインを有する。トランジスタＰＨ４およびＰＨ５は出力部３００ｃおよび３００ｄにそれぞれ接続されたドレイン、制御電圧ＶＥＮＡ０およびＶＥＮＢ０にそれぞれ接続されたゲートを有する。トランジスタＰＨ４およびＰＨ５は制御電圧ＶＥＮＡ０およびＶＥＮＢ０の制御により図４に示されるスイッチＳ５およびＳ６として機能し、プルハイ差動増幅器３０２の出力部Ｖ０３をトランジスタＰＨ３を介して出力部３００ｃおよび３００ｄに選択的に且つ電気的に接続する。
【００２５】
プルロー差動増幅器３０４はＰＭＯＳトランジスタＰＬ３およびＰＬ４の差動対、ＮＭＯＳトランジスタＮＬ１およびＮＬ２からなる電流ミラー、定電流源ＣＲ２を有する。プルロー差動増幅器３０４は出力段として機能するＮＭＯＳトランジスタＮＬ３のゲートに接続された出力部を有する。ＰＭＯＳトランジスタＰＬ３およびＰＬ４の差動対はＮＭＯＳトランジスタＮＬ１およびＮＬ２からなる電流ミラーに電気的に接続される。より具体的に、トランジスタＮＬ１はトランジスタＰＬ３のドレインに電気的に接続されたドレイン、低供給電圧ＶＳＳに電気的に接続されたソース、およびトランジスタＮＬ２に電気的に接続されたゲートを有する。トランジスタＮＬ２はトランジスタＰＬ４のドレインに電気的に接続されたドレイン、低供給電圧ＶＳＳに電気的に接続されたソース、および自身のドレインに電気的に接続されたゲートを有する。
【００２６】
トランジスタＰＬ３のゲートはスイッチＳ２およびＳ３を介してそれぞれ入力部３００ａおよび３００ｂに接続される。トランジスタＰＬ４はトランジスタＮＬ３のドレインに接続されたゲートを有する。トランジスタＰＬ３およびＰＬ４のソースは定電流源ＣＲ２の一方の端部に共通に接続され、定電流源ＣＲ２の他方の端部は高供給電圧ＶＤＤに接続される。
【００２７】
トランジスタＮＬ３は放電手段として機能し、低供給電圧ＶＳＳに電気的に接続されたソース、トランジスタＮＬ１のドレインに電気的に接続されたゲート、およびＮＭＯＳトランジスタＮＬ４およびＮＬ５のソースに電気的に接続されたドレインを有する。トランジスタＮＬ４およびＮＬ５は出力部３００ｃおよび３００ｄにそれぞれ接続されたドレインと、制御電圧ＶＥＮＢ１およびＶＥＮＡ１にそれぞれ接続されたゲートを有する。トランジスタＮＬ４およびＮＬ５は制御電圧ＶＥＮＢ１およびＶＥＮＡ１の制御により図４に示されるスイッチＳ８およびＳ７として機能し、プルロー差動増幅器３０４の出力部Ｖ０４をトランジスタＮＬ３を介して出力部３００ｃおよび３００ｄに選択的に且つ電気的に接続する。
【００２８】
電圧クランプ回路３０６はＮＭＯＳトランジスタＮＣ１およびＰＭＯＳトランジスタＰＣ１からなる第１サブクランプ回路と、ＮＭＯＳトランジスタＮＣ２とＰＭＯＳトランジスタＰＣ２からなる第２サブクランプ回路を有する。トランジスタＮＣ１およびＰＣ１はソースフォローとして機能し、出力部に共通に接続されたソース、制御電圧ＶＴＬおよびＶＴＨにそれぞれ接続されたゲート、および（スイッチＳ１１と称する）ＰＭＯＳトランジスタＰＣ３と（スイッチＳ１２と称する）ＮＭＯＳトランジスタＮＣ３のドレインにそれぞれ接続されたドレインを有する。ＮＭＯＳトランジスタＮＣ１とＰＭＯＳトランジスタＰＣ１からなる第１サブクランプ回路は、ＶＡ≦Ｖｏｕｔ１≦ＶＢであるように、出力部３００ｃの出力電圧Ｖｏｕｔ１を第１電圧ＶＡと第２電圧ＶＢ間の電圧範囲内にクランプするために使用される。ここで、電圧ＶＡおよびＶＢは低供給電圧ＶＳＳより大きく、高供給電圧ＶＤＤより小さい。トランジスタＮＣ２およびＰＣ２はソースフォローとして機能し、出力部３００ｄに共通に接続されたソース、制御電圧ＶＴＬおよびＶＴＨにそれぞれ接続されたゲート、およびＰＭＯＳトランジスタＰＣ３およびＮＭＯＳトランジスタＮＣ３のドレインにそれぞれ接続されたドレインを有する。ＮＭＯＳトランジスタＮＣ２とＰＭＯＳトランジスタＰＣ２からなる第２サブクランプ回路は、ＶＡ≦Ｖｏｕｔ２≦ＶＢであるように、出力部３００ｄの出力電圧Ｖｏｕｔ２を第１電圧ＶＡと第２電圧ＶＢ間の電圧範囲内にクランプするために使用される。ここで、電圧ＶＡおよびＶＢは低供給電圧ＶＳＳより大きく、高供給電圧ＶＤＤより小さい。より具体的には、トランジスタＮＣ１およびＮＣ２は同じしきい値電圧を有し、トランジスタＰＣ１およびＰＣ２は同じしきい値電圧を有する。
【００２９】
出力部３００ｃの出力電圧Ｖｏｕｔ１、Ｖｏｕｔ２を第１電圧ＶＡと第２電圧ＶＢ間にクランプするため、制御電圧ＶＴＬおよびＶＴＨは以下の不等式に従うべきである。
ＶＢ＞ＶＴＬ−Ｖｔｈｎ２＞＝ＶＡ    （１）
ＶＡ＜ＶＴＨ−Ｖｔｈｐ２＜＝ＶＢ    （２）
ここで、Ｖｔｈｎ２はトランジスタＮＣ１およびＮＣ２のしきい値電圧であり、Ｖｔｈｐ２はトランジスタＰＣ１およびＰＣ２のしきい値電圧である。
【００３０】
この実施例において、トランジスタＮＣ１およびＮＣ２のしきい値Ｖｔｈｎ２がトランジスタＮＨ３およびＮＨ４のしきい値電圧Ｖｔｈｎ１に等しく、トランジスタＰＣ１およびＰＣ２のしきい値Ｖｔｈｐ２がトランジスタＰＬ３およびＰＬ４のしきい値電圧Ｖｔｈｐ１に等しく、制御電圧ＶＴＬが第１電圧ＶＡとしきい値電圧Ｖｔｈｎ２（即ち、ＶＴＬ＝ＶＡ＋Ｖｔｈｎ２）の合計に等しく、制御電圧ＶＴＨが第２電圧ＶＢとしきい値電圧Ｖｔｈｐ２（即ち、ＶＴＨ＝ＶＢ―Ｖｔｈｐ２）の差に等しいことが仮定される。従って、出力部３００ｃおよび３００ｄの出力電圧Ｖｏｕｔ１およびＶｏｕｔ２がＶＤＤとＶＢ間の電圧範囲になると、トランジスタＰＣ１とＰＣ２はソースとゲート間の電圧差Ｖｓｇがしきい値Ｖｔｈｐ２以上である事実によりターンオンし、トランジスタＰＣ１とＰＣ２は出力電圧Ｖｏｕｔ１とＶｏｕｔ２がトランジスタＰＣ１とＮＣ３と低供給電圧ＶＳＳの経路、およびトランジスタＰＣ２、ＮＣ３と低供給電圧ＶＳＳを介してそれぞれ電圧ＶＢ＝ＶＴＨ＋Ｖｔｈｐ２に放電されるようにターンオンされる。更に、出力部３００ｃおよび３００ｄの出力電圧Ｖｏｕｔ１およびＶｏｕｔ２がＶＳＳとＶＡ間の電圧範囲になると、トランジスタＮＣ１およびＮＣ２はゲートとソース間の電圧差Ｖｇｓがしきい値電圧Ｖｔｈｎ２以上である事実によりターンオンし、さらにトランジスタＮＣ１とＮＣ２は、出力電圧Ｖｏｕｔ１とＶｏｕｔ２がトランジスタＮＣ１とＰＣ３と高供給電圧ＶＤＤの経路、およびトランジスタＮＣ２、ＰＣ３と高供給電圧ＶＤＤの通路を介してそれぞれ電圧ＶＡ＝ＶＴＬ―Ｖｔｈｎ２に充電されるように、ターンオンする。更に、出力部３００ｃおよび３００ｄの出力電圧Ｖｏｕｔ１およびＶｏｕｔ２がＶＡとＶＢ間の電圧範囲になると、すべてのトランジスタＰＣ１、ＰＣ２、ＮＣ１、ＮＣ２は、出力電圧Ｖｏｕｔ１およびＶｏｕｔ２が維持されるように、ターンオフする。
【００３１】
トランジスタＰＣ３およびＮＣ３は高供給電圧ＶＤＤと低供給電圧ＶＳＳにそれぞれ接続されたソース、および制御電圧ＶＰＲＥＢおよびＶＰＲＥにそれぞれ接続されたゲートを有する。制御電圧ＶＰＲＥＢおよびＶＰＲＥは互いに正反対（反転）している。
【００３２】
ソースドライバ３００はさらに出力部３００ｃおよび３００ｄにそれぞれ接続された入力部３００ａおよび３００ｂのレベル電圧Ｖｉｎ１およびＶｉｎ２接続するため（短絡するため）のスイッチＳ９およびＳ１０を具備し、出力部３００ｃおよび３００ｄの出力電圧Ｖｏｕｔ１およびＶｏｕｔ２をそれぞれレベル電圧Ｖｉｎ１およびＶｉｎ２に直接駆動する。
【００３３】
プルハイ差動増幅器３０２は電圧ＶＡおよび高供給電圧ＶＤＤ間に出力電圧Ｖｏｕｔ１およびＶｏｕｔ２を増加させるために使用され、プルロー差動増幅器３０４は電圧ＶＢおよび低供給電圧ＶＳＳ間に出力電圧Ｖｏｕｔ１およびＶｏｕｔ２を減少させるために使用されることが理解されるべきである。
【００３４】
図６Ａおよび図６Ｂは（図４を参照している）図５のソースドライバがどのように１走査期間中出力電圧Ｖｏｕｔ１およびＶｏｕｔ２をレベル電圧Ｖｉｎ１およびＶｉｎ２に駆動するかを例示するための１具体例を示している。図６Ａは走査期間中（即ち、ｔ０からｔ４）のスイッチＳ１からＳ１２の状態（即ち、「オン」および「オフ」）を示している表である。図６Ｂはｔ０からｔ４の走査期間中の出力電圧Ｖｏｕｔ１およびＶｏｕｔ２の波形を示している。この具体例において、入力部３００ａおよび３００ｂより受信されたレベル電圧Ｖｉｎ１およびＶｉｎ２がそれぞれ電圧値Ｖ１およびＶＤＤを有し、出力部３００ｃおよび３００ｄの出力電圧Ｖｏｕｔ１およびＶｏｕｔ２がそれぞれ電圧値ＶＳＳおよびＶ２を有することが想定される。以下に出力電圧Ｖｏｕｔ１およびＶｏｕｔ２をそれぞれＶＳＳとＶ２からＶ１とＶＤＤに駆動するためのソースドライバ３００の動作が示される。
【００３５】
まず、ｔ０からｔ１の期間中、制御電圧ＶＰＲＥが高電圧レベルを示し、制御電圧ＶＰＲＥＢが低電圧レベルを示し、それにより、トランジスタＰＣ３およびＮＣ３（スイッチＳ１１およびＳ１２）がターンオンし、スイッチＳ１およびＳ１０がターンオフし、同時に、データクランプ回路３０６がＶＡとＶＢ間の範囲内に出力電圧Ｖｏｕｔ１およびＶｏｕｔ２の電圧値をクランプするように動作可能にする。この期間中、データクランプ回路３０６は出力部３００ｃの出力電圧Ｖｏｕｔ１の電圧値をＶＳＳからＶＡに引っ張り、さらに、出力電圧Ｖｏｕｔ２の電圧値はＶＡとＶＢ間の範囲内になる（又はクランプされる）のでＶ２に維持される。
【００３６】
ｔ１からｔ２の期間中、スイッチＳ１およびＳ３がターンオンになり、その間、制御信号ＶＥＮＡ１およびＶＥＮＢ０は高電圧レベルを示し、制御信号ＶＥＮＡ０およびＶＥＮＢ１は低電圧レベルを示すので、トランジスタＰＨ４（スイッチＳ５）およびＮＬ５（スイッチＳ７）はターンオンし、他のトランジスタはターンオフする。この期間において、データクランプ回路３０６は電圧Ｖｏｕｔ１およびＶｏｕｔ２をクランプするのを不能にし、即ち、電圧Ｖｏｕｔ１およびＶｏｕｔ２を非クランプ状態にする。プルハイ差動増幅器３０２のトランジスタＮＨ３は入力部３００ａからＶ１を有するレベル電圧Ｖｉｎ１を受信するゲート（非反転入力部）を有し、トランジスタＮＨ４は出力部３００ｃからＶＡを有する出力電圧Ｖｏｕｔ１を受信するゲート（反転入力部）を有する。プルハイ差動増幅器３０２において、非反転入力部の電圧値Ｖ１が反転入力部の電圧値ＶＡ以上であるので、プルハイ差動増幅器３０２がトランジスタＰＨ３とＰＨ４を介して値ＶＡから出力部３００ｃの出力電圧Ｖｏｕｔ１を増加することができる。その間、プルロー差動増幅器３０４のトランジスタＰＬ３は入力部３００ｂから値ＶＤＤを有するレベル電圧Ｖｉｎ２を受信するゲート（非反転入力部）を有し、トランジスタＰＬ４は出力部３００ｄからＶ２を有する出力電圧Ｖｏｕｔ２を受信するゲート（反転入力部）を有する。プルロー差動増幅器３０４において、非反転入力部の電圧値ＶＤＤが反転入力部の電圧値Ｖ２以上であるので、プルロー差動増幅器３０４は、出力部３００ｄの出力電圧Ｖｏｕｔ２の電圧値がＶ２に維持されるように動作しない。
【００３７】
ｔ２からｔ３の期間中、スイッチＳ２およびＳ３はターンオンし、その間、制御信号ＶＥＮＡ１およびＶＥＮＢ０は低電圧レベルになり、制御信号ＶＥＮＡ０およびＶＥＮＢ１は高電圧レベルになり、トランジスタＰＨ５（スイッチＳ６）およびＮＬ４（スイッチＳ８）がターンオンし、他のトランジスタはターンオフする。この期間中、プルハイ差動増幅器３０２のトランジスタＮＨ３は入力部３００ｂからＶＤＤを有するレベル電圧Ｖｉｎ２を受信するゲート（非反転入力部）を有し、トランジスタＮＨ４は入力部３００ｄからＶ２を有する出力電圧Ｖｏｕｔ２を受信するゲート（反転入力部）を有する。プルハイ差動増幅器３０２において、非反転入力部の電圧値ＶＤＤは反転入力部の電圧値Ｖ２より大きいので、プルハイ差動増幅器３０２は出力部３００ｄの出力電圧値Ｖｏｕｔ２をトランジスタＰＨ３およびＰＨ５を介してＶ２からＶＤＤに増加させる。その間、プルロー差動増幅器３０４のトランジスタＰＬ３は入力部３００ａからＶ１を有するレベル電圧Ｖｉｎ１を受信するゲート（非反転入力部）を有する。トランジスタＰＬ４は出力部３００ｃからＶ１を有する出力電圧Ｖｏｕｔ１を受信するゲート（反転入力部）を有する。プルロー差動増幅器３０４において、非反転入力部の電圧値Ｖ１は反転入力部の電圧値に等しいので、プルロー差動増幅器３０４は、出力部３００ｃの出力電圧Ｖｏｕｔ１の電圧値はＶ１に維持されるように動作しない。
【００３８】
最終的に、ｔ３からｔ４の期間中、スイッチＳ９とＳ１０のみがターンオンし、他のトランジスタはターンオフし、入力部３００ａと３００ｂはそれぞれ出力部３００ｃおよび３００ｄに電気的に接続される（短絡される）。この期間中、入力部３００ａおよび３００ｂのレベル電圧Ｖｉｎ１およびＶｉｎ２が出力部３００ｃと３００ｄに直接伝達され、出力電圧Ｖｏｕｔ１およびＶｏｕｔ２の値がそれぞれガンマ短絡と称されるＶ１およびＶＤＤにより正確に変更する。
【００３９】
図６Ａおよび図６Ｃは（図４を参照する）図５のソースドライバがどのように、１走査期間中、出力電圧Ｖｏｕｔ１およびＶｏｕｔ２をレベル電圧Ｖｉｎ１およびＶｉｎ２に駆動するかを示す他の具体例を示している。この具体例において、入力部３００ａおよび３００ｂにより受信されたレベル電圧Ｖｉｎ１およびＶｉｎ２がそれぞれ電圧値ＶＡおよびＶ３を有し、出力部３００ｃおよび３００ｄの出力電圧Ｖｏｕｔ１およびＶｏｕｔ２がそれぞれＶ１およびＶＤＤを有することが想定されている。図６Ｃはｔ０からｔ４の走査期間中、出力電圧Ｖｏｕｔ１およびＶｏｕｔ２の波形を示している。
【００４０】
まず、ｔ０からｔ１の期間中、スイッチＳ１１およびＳ１２のみがターンオンする。この期間において、データクランプ回路３０６は出力部３００ｄの出力電圧Ｖｏｕｔ２の電圧値をＶＤＤからＶＢに引っ張る。さらに、出力電圧Ｖｏｕｔ１の電圧値は、ＶＡとＶＢ間の範囲内になるので、Ｖ１に維持される。
【００４１】
その後、ｔ１からｔ２の期間中、スイッチＳ１、Ｓ３、Ｓ５、Ｓ７のみはターンオンする。この期間において、データクランプ回路３０６は電圧Ｖｏｕｔ１およびＶｏｕｔ２をクランプするのを動作不能にし、プルハイ差動増幅器３０２のトランジスタＮＨ３は入力部３００ａからＶＡを有するレベル電圧Ｖｉｎ１を受信するゲート（非反転入力部）を有し、トランジスタＮＨ４は出力部３００ｃからＶ１を有する出力電圧Ｖｏｕｔ１を受信するゲート（反転入力部）を有する。プルハイ差動増幅器３０２において、非反転入力部の電圧値ＶＡは反転入力部の電圧値Ｖ１より小さいので、プルハイ差動増幅器３０２は出力部３００ｃの出力電圧Ｖｏｕｔ１の電圧値がＶ１に維持されるように動作しない。その間、プルロー差動増幅器３０４のトランジスタＰＬ３は入力部３００ｂからＶ３を有するレベル電圧Ｖｉｎ２を受信するゲート（非反転入力部）を有し、トランジスタＰＬ４は出力部３００ｄからＶＢを有する出力電圧Ｖｏｕｔ２を受信するゲート（反転入力部）を有する。プルロー差動増幅器３０４において、非反転入力部の電圧値Ｖ３は反転入力部の電圧値ＶＢ以上であるので、プルロー差動増幅器３０４は、出力部３００ｄの出力電圧Ｖｏｕｔ２の電圧値がＶＢに維持されるように動作しない。
【００４２】
その後、ｔ２からｔ３の期間中、スイッチＳ２、Ｓ４、Ｓ６、およびＳ８のみがターンオンする。この期間において、プルハイ差動増幅器３０２のトランジスタＮＨ３は入力部３００ｂからＶ３を有するレベル電圧Ｖｉｎ２を受信するゲート（非反転入力部）を有し、トランジスタＮＨ４は出力部３００ｄからＶＢを有する出力電圧Ｖｏｕｔ２を受信するゲート（反転入力部）を有する。プルハイ差動増幅器３０２において、非反転入力部の電圧値Ｖ３が反転入力部の電圧値ＶＢ以上であるので、プルハイ差動増幅器３０２はトランジスタＰＨ３およびＰＨ５を介してＶＢからＶ３に出力部３００ｄの出力電圧Ｖｏｕｔ２を増加させる。その間、プルロー差動増幅器３０４のトランジスタＰＬ３は入力部３００ａからＶＡを有するレベル電圧Ｖｉｎ１を受信するゲート（非反転入力部）を有し、トランジスタＰＬ４は出力部３００ｃからＶ１を有する出力電圧Ｖｏｕｔ１を受信するゲート（反転入力部）を有する。プルロー差動増幅器３０４において、非反転入力部の電圧値は反転入力部の電圧値より小さいので、プルロー差動増幅器３０４はトランジスタＮＬ３およびＮＬ４を介してＶ１からＶＡに出力部３００ｃの出力電圧Ｖｏｕｔ１を減少させる。
【００４３】
最終的に、期間ｔ３からｔ４において、スイッチＳ９およびＳ１０のみがターンオンし、入力部３００ａと３００ｂはそれぞれ出力部３００ｃおよび３００ｄに電気的に接続される（短絡される）。この期間において、入力部３００ａおよび３００ｂのレベル電圧Ｖｉｎ１およびＶｉｎ２は出力部３００ｃおよび３００ｄに直接接続され、出力電圧Ｖｏｕｔ１およびＶｏｕｔ２の値はそれぞれＶＡおよびＶ３により正確に変化する。  
【００４４】
本発明のソースドライバによれば、ＶＢからＶＤＤへの電圧範囲とＶＡからＶＳＳへの電圧範囲はそれぞれ充分な電圧差を与えるので、出力電圧を電圧レベルＶＤＤ又はＶＳＳに駆動することが容易になる。したがって、駆動電圧範囲は従来技術のそれに比べて制限されない。
【００４５】
図７は図５に示されるソースドライバに従った変形実施例であり、図７に示される同一要素は図５の同一番号および参照符号で指定され、以下ではそれ以上説明されない。図５のソースドライバと比べて、図７のソースドライバはさらにＮＭＯＳトランジスタＮＨ１およびＮＨ２の差動対とＰＭＯＳトランジスタＰＬ１およびＰＬ２の差動対からなる。更に、スイッチＳ１およびＳ２はＮＭＯＳトランジスタＮＨ６およびＮＨ７によりそれぞれ置換され、スイッチＳ３およびＳ４はそれぞれＰＭＯＳトランジスタＰＬ６およびＰＬ７により置換される。
【００４６】
トランジスタＮＨ１およびＮＨ２はトランジスタＰＨ１およびＰＨ２のドレインにそれぞれ且つ電気的に接続されたドレイン、およびトランジスタＮＨ７のドレインにそれぞれ且つ電気的に接続されたソースを有する。トランジスタＮＨ２およびＮＨ４はトランジスタＰＨ５およびＰＨ４のドレインにそれぞれ且つ電気的に接続されたゲートを有する。トランジスタＮＨ３およびＮＨ４はトランジスタＮＨ６のドレインに共通に且つ電気的に接続されたドレインを有する。トランジスタＮＨ６およびＮＨ７は定電流源ＣＲ１の１端部に電気的に接続されたソースを有し、定電流源ＣＲ１の他端は低供給電圧ＶＳＳに電気的に接続される。更に、トランジスタＮＨ６およびＮＨ７は制御信号ＶＥＮＡ１およびＶＥＮＢ１にそれぞれ且つ電気的に接続されたゲートを有する。制御信号ＶＥＮＡ１およびＶＥＮＢ１はプルハイ差動増幅器３０２とプルロー差動増幅器３０４を選択的に動作可能又は動作不能にする。
【００４７】
トランジスタＰＬ１およびＰＬ２はトランジスタＮＬ１およびＮＬ２のドレインにそれぞれ且つ電気的に接続されたドレインと、トランジスタＰＬ７のドレインに共通に且つ電気的に接続されたソースを有する。トランジスタＰＬ２およびＰＬ４はトランジスタＰＬ４およびＰＬ５のドレインにそれぞれ且つ電気的に接続されたドレインを有する。トランジスタＰＬ３およびＰＬ４はトランジスタＰＬ６のドレインに共通に且つ電気的に接続されたソースを有する。トランジスタＰＬ６およびＰＬ７は定電流源ＣＲ２の１端部に電気的に接続されたソースを有し、定電流源ＣＲ２の他端部は高供給電圧ＶＤＤに電気的に接続される。更に、トランジスタＰＬ６およびＰＬ７は制御信号ＶＥＮＡ０およびＶＥＮＢ０にそれぞれ且つ電気的に接続されたゲートを有する。制御信号ＶＥＮＡ０およびＶＥＮＢ０はプルハイ差動増幅器３０２およびプルロー差動増幅器３０４を選択的に動作可能又は動作不能にするために使用される。
【００４８】
トランジスタＮＨ１およびＰＬ３はレベル電圧Ｖｉｎ１を受信するための入力部３００ａに共通に且つ電気的に接続されたゲートを有する。トランジスタＮＨ３およびＰＬ１はレベル電圧Ｖｉｎ２を受信するための入力部３００ｂに共通に且つ電気的に接続されたゲートを有する。
【００４９】
図７のソースドライバの動作は図５のそれと同じであるので、以下ではそれ以上の説明を行わない。
【００５０】
図８は図７に示されるソースドライバに従った変形実施例である。図８での同一要素は図７での同一番号および参照符号で指定されるので、以下ではそれ以上の説明はされない。図７のソースドライバと比べて、図８のソースドライバは図７のトランジスタＰＣ３およびＮＣ３を置換するためのスイッチＳ１１およびＳ１２を具備する。更に、スイッチ１１はトランジスタＰＨ４のドレインをトランジスタＮＣ１のソースと電気的に接続するために使用される。スイッチ１２はトランジスタＰＨ５のドレインをトランジスタＮＣ２のソースと電気的に接続するために使用される。更に、トランジスタＮＣ１およびＮＣ２は高供給電圧ＶＤＤに電気的に接続されたドレインを有する。トランジスタＰＣ１およびＰＣ２は低供給電圧ＶＳＳに電気的に接続されたドレインを有する。  
【００５１】
図８のソースドライバの動作は図７のそれに類似しており、以下ではそれ以上の説明はされない。
【００５２】
以上に例示されているように、本発明のソースドライバ３００の駆動電圧範囲は従来のドライバのように制限されず、拡大可能であり、それにより、従来技術での問題点を解決できる。
【００５３】
更に、複数のデータラインはプルハイ差動増幅器３０２とプルロー差動増幅器３０４を共有できるので、ソース駆動回路の回路サイズおよび製造コストを低減できる。
【００５４】
本発明の上記実施例において、ソースドライバ３００は２つのデータラインを駆動するための２つの入力部３００ａおよび３００ｂと２つの出力部３０ｃおよび３００ｄを有する。しかしながら、ソースドライバ３００が１つのデータラインを駆動するための１つの入力部および１つの出力部のみを持つことができることも理解すべきである。更に、もし１つの走査ライン期間が充分に長いと、本発明のソースドライバ３００はスイッチング回路を制御することにより複数のデータラインを駆動するための２つ以上の入力部および出力部を持つことができる。
【００５５】
本発明が好ましい実施例に関連して説明されたが、実施例は発明を限定するために使用されるものでない。請求項で要求されるように、本発明の精神および範囲から逸脱することなく、多くの他の可能の改造および変形が当業者により可能であることが理解されるべきである。
【図面の簡単な説明】
【００５６】
【図１】図１はアクティブマトリクスＬＣＤ（液晶表示）装置用の従来の駆動回路である。
【図２】図２は図１に示されるアクティブマトリクスＬＣＤ装置用の典型的なソース駆動回路の概略図である。
【図３】図３は従来のドライバの概略回路である。
【図４】図４は本発明の一実施例に従ったＬＣＤ用のソースドライバの回路図である。
【図５】図５は本発明の一実施例に従った、図４に示されるＬＣＤ用のソースドライバの詳細回路である。
【図６Ａ】図６Ａは２つの具体例であり、図５のソースドライバがどのように１つの走査期間中に２つの出力電圧を２つの対応するレベル電圧に駆動するかを示している。
【図６Ｂ】図６Ｂは２つの具体例であり、図５のソースドライバがどのように１つの走査期間中に２つの出力電圧を２つの対応するレベル電圧に駆動するかを示している。
【図６Ｃ】図６Ｃは２つの具体例であり、図５のソースドライバがどのように１つの走査期間中に２つの出力電圧を２つの対応するレベル電圧に駆動するかを示している。
【図７】図７は本発明の変形実施例に従った、ＬＣＤ用のソースドライバの詳細回路である。
【図８】図８は本発明の変形実施例に従った、ＬＣＤ用のソースドライバの詳細回路である。
【符号の説明】
【００５７】
１００    ＬＣＤ装置
１１２    ＴＦＴアレイ
１１６    データライン
２００    分圧器
２０２    デコーダ
２０４    ドライバ
２１０、３０２    プルハイ差動増幅器
２１２、３０４    プルロー差動増幅器
３００    ソースドライバ
３００ａ、３００ｂ    入力部
３００ｃ、３００ｄ    出力部
３０６    電圧クランプ回路
３０８    第１スイッチング回路
３１０    第２スイッチング回路
３１２    第３スイッチング回路
ＣＲ１    定電流源
【図１】
2006209048.tif 000003
【図２】
2006209048.tif 000004
【図３】
2006209048.tif 000005
【図４】
2006209048.tif 000006
【図５】
2006209048.tif 000007
【図６Ａ】
2006209048.tif 000008
【図６Ｂ】
2006209048.tif 000009
【図６Ｃ】
2006209048.tif 000010
【図７】
2006209048.tif 000011
【図８】
2006209048.tif 000012
【外国語明細書】
2006209048.tif 000013
2006209048.tif 000014
2006209048.tif 000015
2006209048.tif 000016
2006209048.tif 000017
2006209048.tif 000018
2006209048.tif 000019
2006209048.tif 000020
2006209048.tif 000021
2006209048.tif 000022
2006209048.tif 000023
2006209048.tif 000024
2006209048.tif 000025
2006209048.tif 000026
2006209048.tif 000027
2006209048.tif 000028
2006209048.tif 000029
2006209048.tif 000030
2006209048.tif 000031
2006209048.tif 000032
2006209048.tif 000033
2006209048.tif 000034
2006209048.tif 000035
2006209048.tif 000036
2006209048.tif 000037
2006209048.tif 000038
2006209048.tif 000039
2006209048.tif 000040
2006209048.tif 000041
2006209048.tif 000042
2006209048.tif 000043
2006209048.tif 000044
2006209048.tif 000045
2006209048.tif 000046